(57)【要約】      （修正有）【課題】すでに工事関係者が所有しており、今まで使ってきた既存の梯子にも取り付けることができ、安全な作業ができる梯子用手摺取付具を提供する。【解決手段】梯子１００の一方または両方の支柱１０１の上部の外側に固定される第１固定基板２および第２固定基板３と、第１固定基板２に設けられた軸の回りに回転可能に設けられた角度調整板９と、角度調整板９に設けられて手摺１０の基端が固定される手摺固定パイプ１１と、角度調整固定板６に、軸に対して同一円周上に設けられた複数の調整穴と、角度調整板９に設けられ複数の調整穴のいずれかと一致する固定穴と、調整穴のいずれかと固定穴とを貫通して装着される角度固定ボルト１９とよりなる手摺角度調整機構とを備えた梯子用手摺取付具。【選択図】図１
0003177247.tif 000002
【実用新案登録請求の範囲】
【請求項１】
２本の支柱と、その２本の支柱間に所定間隔で横桟が取り付けられた梯子に取付可能な手摺取付具であって、
前記梯子の一方または両方の支柱の上部の外側に挟着部材および締め付け具により固定される固定基板と、
前記固定基板に設けられた軸の回りに回転可能に設けられた角度調整板と、
前記角度調整板に設けられて手摺の基端が固定される手摺固定部と、
前記固定基板または角度調整板の一方に、前記軸に対して同一円周上に設けられた複数の調整穴と、前記固定基板または角度調整板の他方に設けられ前記複数の調整穴のいずれかと一致する固定穴と、前記調整穴のいずれかと前記固定穴とを貫通して装着される角度固定ボルトとよりなる手摺角度調整機構と
を備えた梯子用手摺取付具。
【請求項２】
前記固定基板における梯子の支柱に当接する部分に、前記支柱の幅の大小に応じて嵌合する段部が設けられている請求項１記載の梯子用手摺取付具。
【請求項３】
前記固定基板における梯子の支柱に当接する部分に、前記支柱の外形が円のときに円に外接する部分に凹凸が設けられている請求項１記載の梯子用手摺取付具。
【請求項４】
請求項２記載の段部と、請求項３記載の凹凸のいずれにも対応可能なアタッチメントを着脱可能に準備した請求項１記載の梯子用手摺取付具。
【考案の詳細な説明】
【技術分野】
【０００１】
本考案は、屋根等の高所に梯子を用いて昇り降りする際に、梯子の最上部から高所に渡ったり梯子に戻ったりするときに使用する安全のための手摺取付具に関する。
【背景技術】
【０００２】
戸建ての家屋等の屋根にテレビのアンテナを取り付けたり、屋根の補修工事をしたり、屋根の塗装工事をしたりする際、作業者は、通常、梯子を立て掛け、機材を携えて屋根の上に登って作業をする。
【０００３】
ここで、梯子の上部の横桟から屋根に足を移すときに、梯子の左右の支柱の上部を手で持って体重を支えながら屋根に移動しようとしても、支柱の上部が最上部の横桟に対して低くて、屋根に乗るのが不安定になる。
【０００４】
さらに、作業が終わって屋根から梯子に移るときに、屋根の勾配を滑り落ちないように注意しながら下りてきて、梯子の上部に乗り移る際、梯子の上部の支柱に手を伸ばそうとするが、なかなかとどかずに体を起こそうとするときにバランスをくずす危険があった。
【０００５】
最近の住宅は屋根傾斜が急になり、アンテナ工事など、屋根に登る作業は危険である。また、最近では瓦葺ではない屋根も多くなっており、梯子から屋根に移る場合と屋根から梯子に移る場合に、移動時に手で持つ物がなく、不安定となる。
【０００６】
このような屋根の上での工事のための梯子に安全装置を設けることが色々提案されている。
【０００７】
特許文献１には、扁平筒状の一対のチャンネル材で左右一対の支柱を形成し、この支柱間に所定間隔で複数段の踏み桟を掛け渡して梯子を形成し、この支柱の上部に支柱と平行に装着されたブラケットに支柱と平行で断面が略半円溝状の保持溝を施し、パイプ材を略Ｃ字状に曲製して形成された上手摺の支柱と平行な上側折返し端をこの保持溝に嵌合すると共に、その上側折返し端に樋状の押さえ金具を装着し、これらの押さえ金具、手摺の上側折返し端、ブラケット及び支柱を重ねてボルトを貫通しナットで螺合した梯子の手摺取付構造が記載されている。
【０００８】
特許文献２には、梯子のパイプ状横桟内を挿通するように配置される連結具と、該連結具の端に固定されたクランプと、該クランプに固定される手摺本体とを具備した梯子用手摺が記載されている。
【０００９】
特許文献３には、平行配置された２本の長材の途中に、平行配置された２本の短材を、当該短材の一端において前記２本の長材に対して当該短材を好みの角度でロックすることができるように取り付け、足掛かりとなる複数本の横桟を、前記２本の長材の一端から前記２本の短材の自由端に至るまで、当該横桟を足掛かりに上ることができる間隔で当該長材及び短材に取り付けると共に、前記２本の長材の他端から前記２本の短材の固定端に至るまでは前記横桟を取り付けず、前記２本の長材の一端及び前記２本の短材の自由端にはそれぞれ滑り止めが備えられている屋根上り用梯子が記載されている。
【先行技術文献】
【特許文献】
【００１０】
【特許文献１】実用新案登録第３１２８３０９号公報
【特許文献２】特開２０００−１８６４８１号公報
【特許文献３】特開平１１−８１８４２号公報
【考案の概要】
【考案が解決しようとする課題】
【００１１】
前掲の特許文献１に記載された手摺取付構造は、梯子の構造が、扁平筒状の一対のチャンネル材で左右一対の支柱を形成し、この支柱間に所定間隔で複数段の踏み桟を掛け渡した構造に限定されるため、既存の、すなわち手持ちの梯子に、タイプに関係なく取り付けるという訳にはいかない。また、手摺を梯子に取り付ける際、梯子の角度を屋根の傾斜に応じて変えることはできない構造になっている。
【００１２】
特許文献２に記載された梯子用手摺も、独自の梯子の構造を有しており、既存の任意のタイプの梯子に取り付ける構造とはなっておらず、また、手摺の角度を調整することもできない。
【００１３】
さらに、特許文献３に記載された屋根上り用梯子では、平行配置された２本の長材の途中に、平行配置された２本の短材を、当該短材の一端において前記２本の長材に対して当該短材を好みの角度でロックすることができるように取り付けるものであるが、梯子自体が特殊構造となっており、既存の任意にタイプの梯子を改造することで適用することはできない。
【００１４】
そこで本考案は、すでに工事関係者が所有しており、今まで使ってきた既存の梯子にも取り付けることができ、安全な作業ができる梯子用手摺取付具を提供することを目的とする。
【課題を解決するための手段】
【００１５】
前記課題を解決するため、本考案の第１の構成は、
２本の支柱と、その２本の支柱間に所定間隔で横桟が取り付けられた梯子に取付可能な手摺取付具であって、
前記梯子の一方または両方の支柱の上部の外側に挟着部材および締め付け具により固定される固定基板と、
前記固定基板に設けられた軸の回りに回転可能に設けられた角度調整板と、
前記角度調整板に設けられて手摺の基端が固定される手摺固定部と、
前記固定基板または角度調整板の一方に、前記軸に対して同一円周上に設けられた複数の調整穴と、前記固定基板または角度調整板の他方に設けられ前記複数の調整穴のいずれかと一致する固定穴と、前記調整穴のいずれかと前記固定穴とを貫通して装着される角度固定ボルトとよりなる手摺角度調整機構と
を備えた梯子用手摺取付具である。
【００１６】
本考案の第２の構成は、第１の構成の固定基板における梯子の支柱に当接する部分に、前記支柱の幅の大小に応じて嵌合する段部が設けられている梯子用手摺取付具である。
本考案の第３の構成は、第１の構成の固定基板における梯子の支柱に当接する部分に、前記支柱の外形が円のときに円に外接する部分に凹凸が設けられている梯子用手摺取付具である。
本考案の第４の構成は、第２の構成の段部と、第３の構成の凹凸のいずれにも対応可能なアタッチメントを着脱可能に準備した梯子用手摺取付具である。
【考案の効果】
【００１７】
本考案によれば、梯子の一方または両方の支柱の上部の外側に挟着部材および締め付け具により固定される固定基板と、固定基板に設けられた軸の回りに回転可能に設けられた角度調整板と、角度調整板に設けられて手摺の基端が固定される手摺固定部と、固定基板または角度調整板の一方に、軸に対して同一円周上に設けられた複数の調整穴と、固定基板または角度調整板の他方に設けられ複数の調整穴のいずれかと一致する固定穴と、調整穴のいずれかと固定穴とを貫通して装着される角度固定ボルトとよりなる手摺角度調整機構とを備えたことにより、すでに工事関係者が所有しており、今まで使ってきた既存の梯子にも取り付けることができ、安全な作業ができる梯子用手摺取付具が提供される。
【図面の簡単な説明】
【００１８】
【図１】本考案の実施の形態に係る梯子用手摺取付具を示す斜視図である。
【図２】本考案の実施の形態に係る梯子用手摺取付具を示す正面図である。
【図３】本考案の実施の形態に係る梯子用手摺取付具を示す平面図である。
【図４】本考案の実施の形態に係る梯子用手摺取付具の他の例を示す平面図である。
【図５】本考案の実施の形態に係る角度調整機構の一部断面正面図である。
【図６】本考案の実施の形態に係る角調整機構の側面図である。
【図７】本考案の実施の形態に係るリングの正面図である。
【図８】本考案の実施の形態に係る角度調整固定板の正面図である。
【図９】本考案の実施の形態に係る第１固定基板の正面図である。
【図１０】本考案の実施の形態に係る第１固定歯取付板の正面図である。
【図１１】本考案の実施の形態に係る梯子第１固定歯の正面図である。
【図１２】本考案の実施の形態に係る梯子第２固定歯の正面図である。
【図１３】本考案の実施の形態に係る第２固定歯取付板の正面図である。
【図１４】本考案の実施の形態に係る第２固定基板の正面図である。
【図１５】（ａ）、（ｂ）は、本考案の実施の形態に係る角形支柱用の第１固定歯取付板と第２固定歯取付板の平面図である。
【図１６】（ａ）、（ｂ）は、本考案の実施の形態に係る丸形支柱用の第１固定歯取付板と第２固定歯取付板の平面図である。
【図１７】本考案の実施の形態に係る第１固定基板と第２固定基板を固定する固定ネジの正面図である。
【図１８】本考案の実施の形態に係る角度調整板を所望の角度で固定する角度固定ボルトの正面図である。
【図１９】本考案の実施の形態に係る梯子用手摺取付具の組立順序を示す平面図である。
【図２０】本考案の実施の形態に係る梯子用手摺取付具の使用状態を示す側面図である。
【考案を実施するための形態】
【００１９】
以下、本考案の実施の形態を、図面を参照しながら説明する。
図１〜図３は、梯子１００の支柱１０１の断面形状が角形の例を示している。
【００２０】
本実施の形態の梯子用手摺取付具１は、支柱１０１の一方または両方の上部に挟み付けて固定されるもので、長尺梯子、伸縮式梯子、脚立の二本の脚部を直線状に開き固定して使用する梯子のいずれにも取り付け可能である。図中１０２は支柱１０１に所定間隔で設置される横桟である。
【００２１】
梯子用手摺取付具１は、支柱１０１を挟んで外側と内側にそれぞれ第１固定基板２と、第２固定基板３とが配置され、第１固定基板２には支柱１０１側に第１固定歯取付板４がボルト・ナット等で固定され、第１固定歯取付板４には支柱１０１の側面に当接する第１固定歯５がボルト・ナット等で固定されている。第１固定基板２の外側には角度調整固定板６がボルト・ナット等で固定されており、角度調整固定板６に設けた軸７に、リング８を介在させて回転可能な角度調整板９が取り付けられている。角度調整板９には、手摺１０の基端を装着できる手摺固定パイプ１１が固定されている。
【００２２】
一方、第２固定基板３には、内側に第２固定歯取付板１２がボルト・ナット等で固定され、第２固定歯取付板１２には支柱１０１の側面に当接する第２固定歯１３がボルト・ナット等で固定されている。
【００２３】
第１固定基板２と第２固定基板３とは、図１７に示すようなボルト１４、ナット１５により締め付けられ、支柱１０１に固定される。
【００２４】
角度調整板９は、図５に示すように中心に軸７を通すための中心穴９ａと、図１８に示す角度固定ボルト１９を挿通するボルト挿通穴９ｂが設けられている。手摺固定パイプ１１の奥部には手摺１０の先端が通り抜けないようにパイプ止め１６が設けられており、手摺固定パイプ１１の側部には手摺１０の先端を固定する固定ネジ１７が設けられている。なお、角度調整板９と手摺固定パイプ１１とは、図６に示すようにパイプ固定台１８で固定されている。
【００２５】
リング８は図７に示すように中央に軸７を通す穴８ａが設けられており、角度調整固定板６に対して角度調整板９が円滑に回るようにスペーサの役目を果たしている。
【００２６】
角度調整固定板６は、図８に示すように、中心に軸７を通すための中心穴６ａと、この中心穴６ａに対して同一円周上に３０°毎に７つの調整穴６ｂが設けられている。また、角度調整固定板６の四隅には、第１固定板２と固定するボルトを通すボルト穴６ｃが設けられている。
【００２７】
第１固定板２には、図９に示すように中央に軸７を通す穴２ａが設けられ、さらに角度調整固定板６を固定するボルトを通すボルト穴２ｂと、後述の第２固定板３と固定するためのボルト１４を通すボルト穴２ｃが設けられている。
【００２８】
第１固定歯取付板４は、図１０に示すように第１固定歯５を取り付けるためのボルト穴４ａと第１固定板２に固定するためのボルト穴４ｂが設けられている。
【００２９】
第１固定歯５には、図１１に示すように第１固定歯取付板４と固定するためのボルト穴５ｃが設けられている。
【００３０】
第２固定歯１３には、図１２に示すように、第２固定歯取付板１２と固定するためのボルト穴１３ｃが設けられている。
【００３１】
第２固定歯取付板１２には、図１３に示すように、第２固定歯１３と固定するためのボルト穴１２ａと、第２固定板３に固定するためのボルト穴１２ｂが設けられている。
【００３２】
第２固定板３には、図１４に示すように第２固定歯取付板１２と固定するためのボルト穴３ａと、第１固定板２と固定するためのボルト１４を通すボルト穴３ｂが設けられている。
【００３３】
梯子１００の支柱１０１が断面角形の場合は、第１固定歯５は図１５（ａ）に示すように、支柱１０１の複数種類の幅に適合するように複数（本例では３段）の段部５ａが形成され、支柱１０１に取り付けたときに支柱１０１の幅方向にずれないようにし、また幅方向に強い力が加わっても梯子用手摺取付具１が支柱１０１から外れないようにしている。第２固定歯１３は、図１５（ｂ）に示すように支柱１０１への当接面１３ａが単なる直線状であってもよい。第１固定歯５と第２固定歯１３を用いて支柱１０１に梯子用手摺取付具１を取り付けた状態の正面図を図３に示している。
【００３４】
一方、梯子１００の支柱１０３が断面円形の場合は、第１固定歯５は図１６（ａ）に示すように、支柱１０３の複数種類の径に適合するように円弧状の歯５ｂが形成され、支柱１０３に取り付けたときに支柱１０３に対して回転しないようにしている。第２固定歯１３は、図１６（ｂ）に示すように支柱１０３への当接面１３ｂを円弧状にしている。これにより、第１固定歯５と第２固定歯１３の中心位置が支柱１０３より横方向にもずれないようにしている。第１固定歯５と第２固定歯１３を用いて支柱１０３に梯子用手摺取付具１を取り付けた状態の正面図を図４に示している。
【００３５】
以上の構成の部材は、図１９に示すように中央の支柱１０１または１０３を挟んで両側から組み立てられ、第１固定板２と第２固定板３をボルト１４とナット１５で締め付けて固定することにより、梯子１００の支柱の一方または両方の上部に梯子用手摺取付具１を取り付け、この梯子用手摺取付具１の手摺固定パイプ１１に手摺１０の基端を挿入し、パイプ固定ネジ１７で固定することにより、安全装置としての手摺が取り付けられる。
【００３６】
手摺固定パイプ１１に基端が挿入された手摺１０の角度は、角度固定ボルト１９を角度調整板９のボルト挿通穴９ｂから抜いて、手摺１０を１８０°の範囲で３０°毎に角度調整固定板６に設けられている調整穴６ｂ（図８参照）にボルト挿通穴９ｂをあわせ、角度固定ボルト１９をねじ込むことにより固定することができる。角度固定ボルト１９には、図１および図１８に示すように玉鎖２０が設けられており、角度調整固定板６にネジ２１で固定しておくことにより、高所での落下や紛失を防止することができる。
【００３７】
なお、本実施の形態では、角度調整固定板６に複数の調整穴６ｂを設け、角度調整板９に１つのボルト挿通穴９ｂを設けた例を示したが、角度調整固定板６に一つの調整穴６ｂを設け、角度調整板９に複数のボルト挿通穴９ｂを設けることによっても、角度調整が可能である。
【００３８】
図２０は、梯子１００を家屋の屋根に立て掛けた状態を示している。梯子１００の上部において、本考案の梯子用手摺取付具１を用いて手摺１０の角度を任意に調整し、固定することで、屋根への登り下りを安全に、また安心して行うことができる。
【００３９】
以上述べたように、本考案は、すでに工事関係者が所有しており、今まで使ってきた既存の梯子にも取り付けることができるため、コストの負担を多く掛けることなく安全な作業を遂行することができる。
【産業上の利用可能性】
【００４０】
本考案は、家屋等の屋根にテレビのアンテナを取り付けたり、屋根の補修工事をしたり、屋根の塗装工事をしたりする際の梯子の安全具として、好適に利用することができる。
【符号の説明】
【００４１】
１  梯子用手摺取付具
２  第１固定基板
２ａ  穴
２ｂ，２ｃ  ボルト穴
３  第２固定基板
３ａ，３ｂ  ボルト穴
４  第１固定歯取付板
４ａ，４ｂ  ボルト穴
５  第１固定歯
５ａ  段部
５ｂ  歯
５ｃ  ボルト穴
６  角度調整固定板
６ａ  中心穴
６ｂ  調整穴
６ｃ  ボルト穴
７  軸
８  リング
８ａ  穴
９  角度調整板
９ａ  中心穴
９ｂ  ボルト挿通穴
１０  手摺
１１  手摺固定パイプ
１２  第２固定歯取付板
１２ａ，１２ｂ  ボルト穴
１３  第２固定歯
１３ａ，１３ｂ  当接面
１３ｃ  ボルト穴
１４  ボルト
１５  ナット
１６  パイプ止め
１７  固定ネジ
１８  パイプ固定台
１９  角度固定ボルト
２０  玉鎖
２１  ネジ
１００  梯子
１０１  支柱（角形）
１０２  横桟
１０３  支柱（丸形）
【図１】
0003177247.tif 000003
【図２】
0003177247.tif 000004
【図３】
0003177247.tif 000005
【図４】
0003177247.tif 000006
【図５】
0003177247.tif 000007
【図６】
0003177247.tif 000008
【図７】
0003177247.tif 000009
【図８】
0003177247.tif 000010
【図９】
0003177247.tif 000011
【図１０】
0003177247.tif 000012
【図１１】
0003177247.tif 000013
【図１２】
0003177247.tif 000014
【図１３】
0003177247.tif 000015
【図１４】
0003177247.tif 000016
【図１５】
0003177247.tif 000017
【図１６】
0003177247.tif 000018
【図１７】
0003177247.tif 000019
【図１８】
0003177247.tif 000020
【図１９】
0003177247.tif 000021
【図２０】
0003177247.tif 000022